(57)【特許請求の範囲】
【請求項１】
本体側に固定されたベース部材と、このベース部材に回動可能に軸着されて原稿圧着板を支持する支持部材と、該支持部材の回動に連動して回転するロータリダンパと、前記支持部材の回動を前記ロータリダンパに伝達する伝達手段と、前記支持部材とベース部材との間に弾設され前記支持部材を一方向へ回動付勢するスプリング装置と、前記スプリング装置の一端を支持する第１ホルダと、前記スプリング装置の他端を支持する第２ホルダとを備え、
前記伝達手段が前記支持部材の回動に連動して回転するように前記第２ホルダに設けられた回転ギヤと、この回転ギヤに係合するように前記ロータリダンパに取付けられた伝達ギヤとを有することを特徴とする原稿圧着板の開閉装置。
【請求項２】
前記回転ギヤの入力回転数に対して、伝達ギヤの出力回転数が増速されていることを特徴とする請求項１記載の原稿圧着板の開閉装置。
【発明の詳細な説明】
【０００１】
【発明の属する技術分野】
本発明は、印刷機や複写機などの画像形成装置に用いられる原稿圧着板の開閉装置に関する。
【０００２】
【従来の技術】
近年は印刷機や複写機などの画像形成装置に用いられる原稿圧着板に自動原稿送り装置を搭載しているものが多くなり、その結果として原稿圧着板の重量が以前のものに比べて大幅に増大している。そこで、このような原稿圧着板の開閉装置にはダンパー装置を設ける場合が多く、原稿圧着板を閉じる際の急激な落下を防止している。
【０００３】
従来、この種の原稿圧着板の開閉装置としては、例えば特開平９−３１１３８９号が知られている。この開閉装置は、図８に示したように、画像形成装置の装置本体１側に取付けられるベース部材２と、このベース部材２にヒンジピン３を介して回動自在に取付けられた支持部材４と、この支持部材４の自由端側と前記ベース部材２との間に弾設されたコイルスプリング５と、このコイルスプリング５の中に収装されたガイド部材６と、このガイド部材６の内部に収装されたダンパ装置７とで構成されたものである。なお、前記支持部材４には原稿圧着板８が固定されている。従って、このような構成からなるから原稿圧着板の開閉装置では、原稿圧着板８を閉じる際にはダンパ装置７が作用し、重量のある原稿圧着板の急激な落下を防止することができる。
【０００４】
【発明が解決しようとする課題】
しかしながら、上記従来の原稿圧着板の開閉装置では、原稿圧着板８の開閉時に、コイルスプリングと共にダンパ装置７を伸縮させながらダンパー効果を得るものであるため、ダンパ装置７をコイルスプリングの内部空間に収納しなければならず、原稿圧着板の重量が増した場合にはそれに応じてダンパ装置７も大きくする必要があることから、結果的に開閉装置自体を大型化せざるを得なかった。
【０００５】
そこで、本発明の目的は、ロータリダンパを用いることでダンパ装置自体の小型化を図ると共に、ロータリダンパをコイルスプリングとは別異に配置できるようにして、原稿圧着板の開閉装置の小型化をも達成できるようにした。
【０００６】
【課題を解決するための手段】
上記課題を解決するために、本発明の請求項１に係る原稿圧着板の開閉装置は、本体側に固定されたベース部材と、このベース部材に回動可能に軸着されて原稿圧着板を支持する支持部材と、該支持部材の回動に連動して回転するロータリダンパと、前記支持部材の回動を前記ロータリダンパに伝達する伝達手段と、前記支持部材とベース部材との間に弾設され前記支持部材を一方向へ回動付勢するスプリング装置と、前記スプリング装置の一端を支持する第１ホルダと、前記スプリング装置の他端を支持する第２ホルダとを備え、前記伝達手段が前記支持部材の回動に連動して回転するように前記第２ホルダに設けられた回転ギヤと、この回転ギヤに係合するように前記ロータリダンパに取付けられた伝達ギヤとを有することを特徴とする。
【０００７】
この発明によれば、ロータリダンパと、このロータリダンパに支持部材の回動を伝達する伝達手段とを備えたことで、コイルスプリングとは別異の配置が可能となり、開閉装置の小型化が図られる。また、この発明によれば、スプリング装置の一端を支持するホルダに回転ギヤを設けたので、支持部材の回動がスプリング装置のホルダを介して回転ギヤに確実に伝達される。
【０００９】
この発明によれば、支持部材の回動をロータリダンパに伝達するために、ギヤによる伝達手段を採用したので、伝達が確実であると共にギヤ比を調整すること減衰力を容易に加減することができる。
【００１０】
請求項２の発明は、前記請求項１記載の原稿圧着板の開閉装置において、前記回転ギヤの入力回転数に対して、伝達ギヤの出力回転数が増速されていることを特徴とする。
【００１１】
この発明によれば、支持部材側の回転ギヤの入力回転数に対して、ロータリダンパ側の伝達ギヤの出力回転数が増速されているので、ロータリダンパの減衰効果をより効果的に引き出すことができる。
【００１６】
【発明の実施の形態】
以下、添付図面に基づいて、本発明に係る原稿圧着板の開閉装置の実施形態を詳細に説明する。図１は本発明の開閉装置を画像形成装置に装着した時の概略図、図２はダンパ装置の配設位置を示す開閉装置の斜視図、図３は前記図２の要部断面図、図４はダンパ装置および駆動伝達部材を示す斜視図である。また、図５は前記開閉装置の平面図、図６は前記開閉装置を図５のＡ−Ａ線に沿って切断した時の断面図、図７は前記開閉装置のリフト状態を示す前記図６と同様の断面図である。
【００１７】
この実施形態における開閉装置１０は、図１に示したように、画像形成装置１１の上面１２を開閉する原稿圧着板１３の後端部に設けられ、画像形成装置１１に対して原稿圧着板１３を回転可能に支持している。この前記開閉装置１０は、図２に示したように、前記画像形成装置１１側に固定されたベース部材１５と、このベース部材１５に回動可能に軸着された支持部材１６と、前記原稿圧着板１３の後部が取付けられたリフト部材１７とを備えており、画像形成装置１１の上面に載置した原稿の厚みに応じて、リフト部材１７がリフト動作する構造になっている。
【００１８】
前記ベース部材１５は、画像形成装置１１に固定される底面部１８と、底面部１８の両側から立ち上がる一対の側面部１９ａ，１９ｂとで断面略Ｕ字形状に形成される。また、前記支持部材１６は、図２及び図５に示したように、前記ベース部材１５の側面部１９ａ，１９ｂに外側から被さるように配置され、支持部材１６の下部が側面部１９ａ，１９ｂの上部に支軸２０によって回転可能に軸着されている。
【００１９】
また、図２及び図４に示したように、この実施形態に係る開閉装置１０では、前記ベース部材１５と支持部材１６との間にスプリング装置３０が架け渡されている。このスプリング装置３０は、支持部材１６とベース部材１５との間に架け渡されたピストン３１と、このピストン３１の周囲に装着されたコイルスプリング３２とで構成される。前記ピストン３１の両端はホルダ３３，３４によって支持され、上部ホルダ３３が前記支持部材１６の上部を貫通するガイド軸２４に支持され、下部ホルダ３４がベース部材１５の側面部１９ａ，１９ｂに軸ピン３５を介して支持されている。コイルスプリング３２は、前記ホルダ３３，３４間に圧縮された状態で装着され、支持部材１６を常時上方向へ付勢している。
【００２０】
また、この実施形態に係る開閉装置１０では、図２乃至図４に示したように、前記下部ホルダ３４に半月状の回転ギヤ３７が下向きに一体成形されており、ベース部材１５の下部に配設されたロータリダンパ３８の伝達ギヤ３９とかみ合っている。ロータリダンパ３８は駆動部（図示せず）が内蔵されたケーシング４０と、このケーシング４０から突出する出力軸４１とで構成され、この出力軸４１に前記円筒状の伝達ギヤ３９が嵌まっている。また、ロータリダンパ３８は、ケーシング４０がベース部材１５の一方の側面部１９ａに固定され、出力軸４１の先端がベース部材１５の他方の側面部１９ｂに回転可能に支持されている。そのため、原稿圧着板１３を閉じる際には支持部材１６の回動に伴って回転ギヤ３７から伝達ギヤ３９を介して出力軸４１を回転させ、ロータリダンパ３８を作動させるため、途中から原稿圧着板１３の回転スピードが抑制されてゆっくりと下降し、急激な落下が防止される。特に、この実施形態では図６及び図７に示したように、前記伝達ギヤ３９の回転半径に対して回転ギヤ３７の回転半径の方が大きいので、回転ギヤ３７からの入力回転数に対して、伝達ギヤ３９の出力回転数が増幅されることになり、ロータリダンパ３８による減衰効果が大きいものとなる。
【００２１】
図１及び図５に示したように、この実施形態に係る開閉装置１０には支持部材１６の上方に断面コ字状のリフト部材１７が配置されており、支持部材１６との間に設けられたリフト機構によって、リフト部材１７のリフト動作を可能にしている。このリフト機構は、リフト部材１７の前端側をスライド移動可能に支持してリフト部材１７の傾きを規制する規制手段２２と、リフト部材１７の後端側を揺動可能に支持するリンク手段２３とで構成されている。
【００２２】
前記規制手段２２は、支持部材１６の上部において外方に突出するガイド軸２４と、リフト部材１７の前端部に開設された長溝部２５とで構成され、この長溝部２５に前記ガイド軸２４の先端部がスライド可能に嵌まり込む。長溝部２５の傾斜角度、長さ、途中に設けられる屈曲部等は適宜設計される事項である。
【００２３】
一方のリンク手段２３は、前記支持部材１６の先端部と、前記リフト部材１７の後端部との間に回動可能に架け渡された左右一対のリンク部材２７ａ，２７ｂによって構成されている。このリンク部材２７ａ，２７ｂは、支持部材１６を左右方向に貫通する支持軸２８によって上端が回転可能に支持され、またリフト部材１７の後端には支持ピン２９によって下端が回転可能に支持されている。
【００２４】
上記のようにリフト動作の異なるリフト機構を設けたことで、リフト部材１７のスムーズな昇降移動が可能になると共に、リフト動作が規制されて常に一定の軌跡が確保される。
【００２５】
次に、上記開閉装置１０の作用を図６及び図７に基づいて説明する。図６はリフト動作を伴わない場合の開閉装置１０動作状態を示したものであり、原稿圧着板１３を持ち上げて画像形成装置１１の上面１２を開けた状態では、スプリング装置３０の上方への付勢力によって支持部材１６が支軸２０を中心に回動し、この支持部材１６がリフト部材１７と一体となって上方へ回動するため、リンク部材２７は作動しない。また、画像形成装置１１の上面１２に薄いシート原稿４２を載置した場合には、原稿圧着板１３を押し下げていくと支持部材１６とリフト部材１７が離れることなく一体となって支軸２０を中心に下方側に回動し、そのままシート原稿４２の上に原稿圧着板１３が被さる。この時、前述したように、ロータリーダンパ３８の作用によって原稿圧着板１３は所定の開成角度からゆっくりと下降し始め、急激な落下が防止されてシート原稿４２の上を静かに押える。
【００２６】
図７はリフト動作を伴う開閉装置１０の作動を示したものである。図に示したように、画像形成装置１１の上面１２に厚いブック原稿４３を載置した場合には、原稿圧着板１３を閉じていく過程で原稿圧着板１３の下面がブック原稿４３の一端４３ａに当たる。この場合、ロータリダンパ３８が作用する開成角度を調整しておくことで、原稿圧着板１３がブック原稿４３の一端４３ａに当たる時の衝撃を少なくすることができる。原稿圧着板１３をさらに押えると、原稿圧着板１３は前記ブック原稿４３の一端４３ａを支点として矢印Ｂ方向の回転力を受ける。その結果、原稿圧着板１３の後部が固定されているリフト部材１７も原稿圧着板１３と同様に矢印Ｂ方向の回転力を受けるために、リフト部材１７は先端側が規制手段２２を介して、また後端側がリンク手段２３を介してリフト動作を開始することになる。リンク部材２７は先端側の支持軸２８を中心として回転するので、リフト部材１７の後端側が回転作用を受けながらリフトしていく。また、リフト部材１７の先端側では支持部材１６の先端両側に突出するガイド軸２４がリフト部材１７の長溝部２５に拘束されるため、スライドしながらリフトしていく。このように、リフト部材１７が異なる２種類の規制手段２２及びリンク手段２３によってリフト動作を行うために、原稿圧着板１３に小さな力を加えるだけでリフト部材１７のスムーズなリフト動作が得られると同時に、リフト部材１７のリフト時の軌跡が常に一定になるので、安定したリフト動作が得られることになる。ブック原稿４３の上面を原稿圧着板１３が押える位置までリフト部材１７がリフト動作を続けることで、図７に示すようなリフト部材１７及び原稿圧着板１３の水平状態が保たれる。
【００２７】
なお、上記の実施形態ではリフト機構や自動原稿送り装置を備えた開閉装置について説明したが、これらのリフト機構や自動原稿送り装置を装備しない開閉装置に本発明が適用できることは勿論である。
【図面の簡単な説明】
【図１】本発明の開閉装置を画像形成装置に装着した時の概略図である。
【図２】ダンパ装置の配設位置を示す本発明の開閉装置の斜視図である。
【図３】前記図２の要部断面図である。
【図４】ダンパ装置および駆動伝達部材を示す斜視図である。
【図５】本発明に係る開閉装置の平面図である。
【図６】本発明の開閉装置を図５のＡ−Ａ線に沿って切断した時の断面図である。
【図７】前記開閉装置のリフト状態を示す前記図６と同様の断面図である。
【図８】従来の開閉装置の一例を示す概略図である。
【符号の説明】
１０  開閉装置
１１  画像形成装置（本体）
１３  原稿圧着板
１５  ベース部材
１６  支持部材
３０  スプリング装置
３３  上部ホルダ（第１ホルダ）
３４  下部ホルダ（第２ホルダ）
３７  回転ギヤ（伝達手段）
３８  ロータリダンパ
３９  伝達ギヤ
４１  出力軸
【図１】
0003679030.tif 000002
【図２】
0003679030.tif 000003
【図３】
0003679030.tif 000004
【図４】
0003679030.tif 000005
【図５】
0003679030.tif 000006
【図６】
0003679030.tif 000007
【図７】
0003679030.tif 000008
【図８】
0003679030.tif 000009